【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
血管管壁と接触するようになっているフレア部と、
前記フレア部と連続している少なくとも１つの狭窄部と、を有し、
前記インプラントは少なくとも１つの重畳部を有し、その重畳は前記狭窄部が拡大した時に変わる、流量減少インプラント。
【請求項２】
前記重畳部には、前記インプラントの複数の重畳された切り出し部が形成されていることを特徴とする、請求項１に記載のインプラント。
【請求項３】
前記重畳は、前記インプラントのおおよそ全長に渡っている重畳部であること特徴とする、請求項１に記載のインプラント。
【請求項４】
重畳部を伴うロールされたシート状物質を有する、請求項３に記載のインプラント。
【請求項５】
前記狭窄部と連結しまた前記狭窄部の少なくとも2つの別個の拡大状態を定めるようになっている、少なくとも１つのリボンを有する、請求項１から請求項４のいずれかに記載の流量減少インプラント。
【請求項６】
前記少なくとも１つのリボンは、スライドするクラスプ（clasp）及びおよびその上に定められた複数の停止位置を備えたリボンであることを特徴とする、請求項５に記載のインプラント。
【請求項７】
前記少なくとも１つのリボンは、初期状態の直径、強度および最終状態での直径のうち、少なくとも１つにおいて異なっている、複数のリボンであることを特徴とする、請求項５または請求項６に記載のインプラント。
【請求項８】
前記少なくとも１つのリボンは、第1の直径および第2の直径をとるスリット付きのリボンであって、スリットが閉じた状態または拡大状態をとるものであることを特徴とする、請求項５から請求項７のいずれかに記載のインプラント。
【請求項９】
前記少なくとも１つのリボンは、あや織りされて前記狭窄部となるコードを有することを特徴とする、請求項５から請求項８のいずれかに記載のインプラント。
【請求項１０】
血管管壁と接触するようになっているフレア部と、
前記フレア部と連続している少なくとも１つの狭窄部と、を有し、
前記インプラントがスロットを備えたシート状材料によって定められ、また前記スロットの幅は前記インプラントの拡大した状態の幾何学的形状を制御するためにインプラント上で変化する、
流量減少インプラント。
【請求項１１】
血管管壁と接触するようになっているフレア部と、
前記フレア部と連続している少なくとも１つの狭窄部と、
一般に前記フレア部の面上にある少なくとも１つのアンカータブと、
を有する、流量減少インプラント。
【請求項１２】
前記インプラントはシート状材料から形成され、前記タブは前記血管の壁面と一般に平行である前記フレア部の一部分に取り付けられることを特徴とする、請求項１１に記載のインプラント。
【請求項１３】
前記アンカータブは、軸方向を向いていることを特徴とする、請求項１２に記載のインプラント。
【請求項１４】
前記アンカータブは、前記狭窄部を向いていることを特徴とする、請求項１１から請求項１３のいずれかに記載のインプラント。
【請求項１５】
少なくとも2つの対向するアンカータブを有することを特徴とする、請求項１１から請求項１４のいずれかに記載のインプラント。
【請求項１６】
少なくとも2つのフレア部を有し、それぞれは少なくとも１つのアンカータブを有することを特徴とする、請求項１１から請求項１５のいずれかに記載のインプラント。
【請求項１７】
前記インプラントは、前記形状に塑性的に変形することを特徴とする、請求項１１から請求項１６のいずれかに記載のインプラント。
【請求項１８】
前記インプラントは前記形状に自己変形することを特徴とする、請求項１１から請求項１７のいずれかに記載のインプラント。
【請求項１９】
前記アンカータブは、前記血管に一般に損傷を防止するように充分丸められていることを特徴とする、請求項１１から請求項１８のいずれかに記載のインプラント。
【請求項２０】
血管管壁と接触するようになっているフレア部と、
前記フレア部と連続し、また植設後に狭くなるようになっている少なくとも１つの狭窄部と、
を有する、流量減少インプラント
【請求項２１】
選択的にさらに前記狭窄部を拘束するようになっている外部のリボンを有することを特徴とする、請求項２０に記載のインプラント。
【請求項２２】
体外から信号を受け取り、それに応答して前記リボンを拘束するようになっているインパルサを有することを特徴とする、請求項２１に記載のインプラント
【請求項２３】
前記リボンは拡大可能であることを特徴とする、請求項２１または請求項２２に記載のインプラント。
【請求項２４】
前記リボンは、インフレート可能であることを特徴とする、請求項２１から請求項２３のいずれかに記載のインプラント。
【請求項２５】
前記リボンは、吸収によって自己拡大するよう構成されていることを特徴とする、請求項２３に記載のインプラント。
【請求項２６】
前記リボンは、引き裂くことができるようになっていることを特徴とする、請求項２１から請求項２４のいずれかに記載のインプラント。
【請求項２７】
前記狭窄部は、それに対応するエンゲージャを備えたカテーテルによって、半径方向の拘束を行うために係合するようになっている複数の係合ポイントを有することを特徴とする、請求項２０から請求項２６のいずれかに記載のインプラント。
【請求項２８】
前記狭窄部は、植設後に選択的に広がるようになっていることを特徴とする、請求項２０から請求項２７のいずれかに記載のインプラント。
【請求項２９】
前記狭窄部はインフレート可能であることを特徴とする、請求項２０から請求項２８のいずれかに記載のインプラント。
【請求項３０】
前記狭窄部は厚さ方向に拡大可能であることを特徴とする、請求項２０から請求項２９のいずれかに記載のインプラント。
【請求項３１】
血管管壁と接触するようになっているフレア部と、
前記フレア部と連続している少なくとも１つの狭窄部と、
前記狭窄部と連結しまた前記狭窄部の少なくとも2つの別個の拡大状態を定めるようになっている、少なくとも１つのリボンと、
を有する、流量減少インプラント。
【請求項３２】
前記少なくとも１つのリボンは、引き裂き可能なリボンであることを特徴とする、請求項３１に記載のインプラント。
【請求項３３】
前記少なくとも１つのリボンは、スライドするクラスプ（clasp）及びおよびその上に定められた複数の停止位置を備えたリボンであることを特徴とする、請求項３１または請求項３２に記載のインプラント。
【請求項３４】
前記少なくとも１つのリボンは、初期状態の直径、強度および最終状態での直径のうち、少なくとも１つにおいて異なっている、複数のリボンであることを特徴とする、請求項３１から請求項３３のいずれかに記載のインプラント。
【請求項３５】
前記少なくとも１つのリボンは、第1の直径および第2の直径をとるスリット付きのリボンであって、スリットが閉じた状態または拡大状態をとるものであることを特徴とする、請求項３１から請求項３４のいずれかに記載のインプラント。
【請求項３６】
前記少なくとも１つのリボンは、あや織りされて前記狭窄部となるコードを有することを特徴とする、請求項３１から請求項３５のいずれかに記載のインプラント。
【請求項３７】
前記少なくとも１つのリボンは、前記狭窄部の外に配置されていることを特徴とする、請求項３１から請求項３６のいずれかに記載のインプラント。
【請求項３８】
前記少なくとも１つのリボンは生体分解性であることを特徴とする、請求項３１から請求項３７のいずれかに記載のインプラント。
【請求項３９】
前記少なくとも１つのリボンは前記狭窄部の壁面を通過する流れをブロックすることを特徴とする、請求項３１から請求項３８のいずれかに記載のインプラント。
【請求項４０】
管形の血管に係止されるようになっているステント状の要素と、
前記ステントに取り付けられ、前記円錐形状ノズルには、前記ステント状の要素を通過する血液の流れの断面積を大幅に減少させる狭窄部が定められているような、柔軟な円錐形ノズルと、
を有する、流量減少インプラント。
【請求項４１】
前記ノズルは、少なくとも１つの剛性強化手段を有することを特徴とする、請求項４０に記載のインプラント。
【請求項４２】
そこを通る血液の流れをあまり妨げない開放性のあや織りメッシュと、
前記メッシュに取り付けられ、そこを通る血液の流れのための内腔を定める、狭いグラフト材料の層と、
を有する、流量減少インプラント。
【請求項４３】
前記開放性のあや織りメッシュは、前記グラフト材料の層内で拡大すると、砂時計状になることを特徴とする、請求項４２に記載のインプラント。
【請求項４４】
血管管壁と接触するようになっているフレア部と、
前記フレア部と連続している少なくとも１つの狭窄部と、を有し、
前記インプラントがスロットを備えたシート状材料によって定められ、また、前記スロットは軸方向に配列され、また、前記交互のラインにおいては軸方向の位置が同一の異なる長さのスロットが配置されている、
流量減少インプラント。
【請求項４５】
断面寸法を有するボディと、
少なくとも部分的に血管を囲んでいる拘束要素と、
を有する、血管内での血液の流れを減少させる流量減少インプラント。
【請求項４６】
前記要素は、前記血管を貫通することを特徴とする、請求項４５に記載の流量減少インプラント。
【請求項４７】
前記要素は、鋲止め部または縫合部を有することを特徴とする、請求項４６に記載の流量減少インプラント。
【請求項４８】
前記要素がバンドであることを特徴とする、請求項４５または請求項４６に記載の流量減少インプラント。
【請求項４９】
前記バンドは、前記血管に対する位置でそれを保持するラチェット機構を有することを特徴とする、請求項４８に記載の流量減少インプラント
【請求項５０】
前記バンドは、複数の拡大可能なスリットを有することを特徴とする、請求項４８に記載の流量減少インプラント。
【請求項５１】
前記要素は、クリップ、クラスプおよびバイス（vice）のいずれかであることを特徴とする、請求項４５から請求項５０のいずれかに記載の流量減少インプラント。
【請求項５２】
前記要素が螺旋状であることを特徴とする、請求項４５から請求項５１のいずれかに記載の流量減少インプラント。
【請求項５３】
前記要素は拡大可能な材料から成ることを特徴とする、請求項４５から請求項５２のいずれかに記載の流量減少インプラント。
【請求項５４】
前記要素は前記血管の内部から拡大圧力によって拡大するようになっていることを特徴とする、請求項５３に記載の流量減少インプラント。
【請求項５５】
前記インプラントは、バルーンカテーテルの拡大圧力に応答して拡大するようになっていることを特徴とする、請求項５４に記載の流量減少インプラント。
【請求項５６】
血管に挿入されるようになっている、外側の一般に管形の部分と、
前記管形区分に嵌入されるようになっているインサートであって、前記インサートは血管を通過する血液の流れを減少させるようにデザインされているものと、
を有する、流量減少インプラント。
【請求項５７】
前記一般に管形の部分は、それを通過している血液の流れを減少させるようにデザインされていることを特徴とする、請求項５６に記載の流量減少インプラント。
【請求項５８】
前記インサートは漏斗状に形成されたインサートであることを特徴とする、請求項５６または請求項５７に記載の流量減少インプラント。
【請求項５９】
前記一般に管形の部分は、そこを通過する血液の流れを減少させないようデザインされていることを特徴とする、請求項５６から請求項５８のいずれかに記載の流量減少インプラント。
【請求項６０】
前記一般に管形の部分はその壁面上にある複数の開口を有し、また、前記インサートはその壁面に複数の開口を有することを特徴とする、請求項５６から請求項５９のいずれかに記載の流量減少インプラント。
【請求項６１】
前記インサートおよび前記管形部分は、各々の前記複数の開口の配列を調整するために、回転可能に配置されていることを特徴とする、請求項６０に記載の流量減少インプラント。